【手続補正書】
【提出日】平成30年1月26日(2018.1.26)
【手続補正１】
【補正対象書類名】特許請求の範囲
【補正対象項目名】全文
【補正方法】変更
【補正の内容】
【特許請求の範囲】
【請求項１】
方法であって、
少なくとも最小のあらかじめ決定された帯域幅しきい値を占有する帯域幅の一部において一様に分布した少なくとも１組のリソースブロックを備えるアップリンクリソースブロック構成を決定することと、
前記少なくとも１組の前記リソースブロックのためにサウンド基準信号（ＳＲＳ）またはチャネル使用ビーコン信号（ＣＵＢＳ）のうちの１つの割当てを受信することと、
ここにおいて、
前記ＳＲＳのためのコードシーケンスが区分される、または、
前記ＣＵＢＳのためのコードシーケンスが直交していない、
前記少なくとも１組の前記リソースブロックにおいて送信を送ることと
を備える方法。
【請求項２】
前記最小のあらかじめ決定された帯域幅しきい値が、基地局によってサービスされるすべてのモバイルデバイスについて同じである、請求項１に記載の方法。
【請求項３】
前記最小のあらかじめ決定された帯域幅しきい値が、ブロードキャストメッセージ中でシグナリングされる、請求項２に記載の方法。
【請求項４】
前記少なくとも１組のリソースブロックの各々が１つのサブフレーム上のＰＵＳＣＨ、ＰＵＣＣＨ、またはＰＲＡＣＨのうちの１つに割り当てられる、請求項１に記載の方法。
【請求項５】
前記送信を送ることが、
複数のＯＦＤＭシンボル上で、および前記少なくとも１組の前記リソースブロックにおいて前記ＳＲＳまたは前記ＣＵＢＳのうちの少なくとも１つを送ることを備える、請求項１に記載の方法。
【請求項６】
前記少なくとも１つのリソースブロックが、複数のモバイルデバイスに割り振られる直交するリソースブロックの組を備える、請求項１に記載の方法。
【請求項７】
前記少なくとも１つのリソースブロックが、直交するリソースブロックの組を備え、前記直交するリソースブロックの組のうちの各直交するリソースブロックの組が複数のモバイルデバイスに割り当てられ、ＰＵＳＣＨが前記複数のモバイルデバイスの中で空間多重化され、ＰＤＣＣＨ、前記ＳＲＳ、またはＰＲＡＣＨのうちの少なくとも１つが前記複数のモバイルデバイスの中で符号分割多重化される、請求項１に記載の方法。
【請求項８】
ＰＲＡＣＨ送信または前記ＳＲＳのために確保された１組のリソースブロックにおいて前記ＰＲＡＣＨ送信または前記ＳＲＳのうちの少なくとも１つを送信することをさらに備える、請求項１に記載の方法。
【請求項９】
前記アップリンクリソースブロック構成が直交周波数分割多重化に基づく、請求項１に記載の方法。
【請求項１０】
装置であって、
少なくとも最小のあらかじめ決定された帯域幅しきい値を占有する帯域幅の一部において一様に分布した少なくとも１組のリソースブロックを備えるアップリンクリソースブロック構成を決定するための手段と、
前記少なくとも１組の前記リソースブロックのためにサウンド基準信号（ＳＲＳ）またはチャネル使用ビーコン信号（ＣＵＢＳ）のうちの１つの割当てを受信するための手段と、
ここにおいて、
前記ＳＲＳのためのコードシーケンスが区分される、または、
前記ＣＵＢＳのためのコードシーケンスが直交していない、
前記少なくとも１組の前記リソースブロックにおいて送信を送るための手段と
を備える装置。
【請求項１１】
装置であって、
少なくとも最小のあらかじめ決定された帯域幅しきい値を占有する帯域幅の一部において一様に分布した少なくとも１組のリソースブロックを備えるアップリンクリソースブロック構成を決定するために構成された少なくとも１つのプロセッサと、
前記少なくとも１組の前記リソースブロックのためにサウンド基準信号（ＳＲＳ）またはチャネル使用ビーコン信号（ＣＵＢＳ）のうちの１つの割当てを受信することと、ここにおいて、前記ＳＲＳのためのコードシーケンスが区分される、または、前記ＣＵＢＳのためのコードシーケンスが直交していない、
前記少なくとも１組の前記リソースブロックにおいて送信を送ることと
を行うために構成されたトランシーバと、
前記少なくとも１つのプロセッサに結合されたメモリと
を備える装置。
【請求項１２】
命令を記憶する非一時的コンピュータ可読媒体であって、前記命令が、
少なくとも１つのコンピュータによって実行されたとき、前記少なくとも１つのコンピュータに、
少なくとも最小のあらかじめ決定された帯域幅しきい値を占有する帯域幅の一部において一様に分布した少なくとも１組のリソースブロックを備えるアップリンクリソースブロック構成を決定させ、
前記少なくとも１組の前記リソースブロックのためにサウンド基準信号（ＳＲＳ）またはチャネル使用ビーコン信号（ＣＵＢＳ）のうちの１つの割当てを受信させ、
ここにおいて、
前記ＳＲＳのためのコードシーケンスが区分される、または、
前記ＣＵＢＳのためのコードシーケンスが直交していない、
前記少なくとも１組の前記リソースブロックにおいて送信を送らせる
１つまたは複数の命令を備える非一時的コンピュータ可読媒体。
【請求項１３】
方法であって、
クリアチャネルアセスメント（ＣＣＡ）の機会にクリアチャネルを検出することに基づいてチャネル利用のためのチャネル使用ビーコン信号（ＣＵＢＳ）送信を備える指示をブロードキャストすることと、
ここにおいて、前記クリアチャネルが、しきい値未満のエネルギーレベルとして、または前記ＣＵＢＳ信号の検出なしとして定義され、
前記ＣＣＡの機会が、ＯＦＤＭシンボル持続時間の一部分を占有する、または
前記ＣＵＢＳ送信が、あらかじめ決定されたＯＦＤＭシンボル境界に揃えられる、
のうちの少なくとも１つである、
前記ＣＵＢＳ送信の後続の少なくとも１つのサブフレームにおいて連続送信することと
を備える方法。
【請求項１４】
前記ＣＣＡの機会が複数の連続した機会のうちの１つであり、グループメンバーシップに基づく、請求項１３に記載の方法。
【請求項１５】
前記グループメンバーシップがＰＬＭＮメンバーシップである、請求項１４に記載の方法。
【請求項１６】
前記ＣＣＡの機会が、多目的サブフレームのうちの少なくとも一部を備え、
前記多目的サブフレームの残りが、ダウンリンク送信、前記ＣＵＢＳ送信、およびガード期間のために確保されている、請求項１３に記載の方法。
【請求項１７】
前記指示が割り当てられたサウンド基準信号（ＳＲＳ）に基づく、請求項１３に記載の方法。
【請求項１８】
装置であって、
クリアチャネルアセスメント（ＣＣＡ）の機会にクリアチャネルを検出することに応答してチャネル利用のためのチャネル使用ビーコン信号（ＣＵＢＳ）送信を備える指示をブロードキャストするための手段と、
ここにおいて、前記クリアチャネルが、しきい値未満のエネルギーレベルとして、またはＣＵＢＳ信号の検出なしとして定義され、
前記ＣＣＡの機会が、多目的サブフレームのうちの少なくとも第１の部分を備え、
前記多目的サブフレームの第２の部分が、ダウンリンク送信、前記ＣＵＢＳ送信、またはガード期間のうちの１つまたは複数のために確保されている、
前記ＣＵＢＳ送信の後続の少なくとも１つのサブフレームにおいて連続送信するための手段と
を備える装置。
【請求項１９】
装置であって、
クリアチャネルアセスメント（ＣＣＡ）の機会にクリアチャネルを検出することに基づいてチャネル利用のためのチャネル使用ビーコン信号（ＣＵＢＳ）送信を備える指示をブロードキャストすることと、ここにおいて、前記クリアチャネルが、しきい値未満のエネルギーレベルとして、または前記ＣＵＢＳ信号の検出なしとして定義される、
前記ＣＵＢＳ送信の後続の少なくとも１つのサブフレームにおいて連続送信することと、ここにおいて、
前記ＣＣＡの機会が、ＯＦＤＭシンボル持続時間の一部分を占有する、または
前記ＣＵＢＳ送信が、あらかじめ決定されたＯＦＤＭシンボル境界に揃えられる、
のうちの少なくとも１つである、
を行うために構成されたトランシーバと、
前記トランシーバに結合されたメモリと
を備える装置。
【請求項２０】
命令を記憶する非一時的コンピュータ可読媒体であって、前記命令は、
少なくとも１つのコンピュータによって実行されたとき、前記少なくとも１つのコンピュータに、
クリアチャネルアセスメント（ＣＣＡ）の機会にクリアチャネルを検出することに応答してチャネル利用のためのチャネル使用ビーコン信号（ＣＵＢＳ）送信を備える指示をブロードキャストさせ、
ここにおいて、前記クリアチャネルが、しきい値未満のエネルギーレベルとして、または前記ＣＵＢＳ信号の検出なしとして定義され、
前記ＣＣＡの機会が、ＯＦＤＭシンボル持続時間の一部分を占有する、または
前記ＣＵＢＳ送信が、あらかじめ決定されたＯＦＤＭシンボル境界に揃えられる、
のうちの少なくとも１つである、
前記ＣＵＢＳ送信の後続の少なくとも１つのサブフレームにおいて連続送信させる
１つまたは複数の命令を備える非一時的コンピュータ可読媒体。
【請求項２１】
方法であって、
チャネル帯域幅の端部に第１の組の動的にスケジュールされたリソースブロックと、第２の組のリソースブロックとを備えるアップリンクリソースブロック構成を決定することと、前記アップリンクリソースブロック構成が、少なくとも最小のあらかじめ決定された帯域幅しきい値を占有する、
前記第１の組の動的にスケジュールされたリソースブロックまたは前記第２の組のリソースブロックのうちの少なくとも１つにおける少なくとも１つのリソースブロックのためにサウンド基準信号（ＳＲＳ）またはチャネル使用ビーコン信号（ＣＵＢＳ）のうちの１つの割当てを受信することと、
ここにおいて、
前記ＳＲＳのためのコードシーケンスが区分される、または、
前記ＣＵＢＳのためのコードシーケンスが直交していない、
前記少なくとも１つのリソースブロックにおいて送信を送ることと
を備える方法。
【請求項２２】
前記最小のあらかじめ決定された帯域幅しきい値が、基地局によってサービスされるすべてのモバイルデバイスについて同じである、請求項２１に記載の方法。
【請求項２３】
前記最小のあらかじめ決定された帯域幅しきい値が、ブロードキャストメッセージ中でシグナリングされる、請求項２１に記載の方法。
【請求項２４】
前記第２の組のリソースブロックが、ブロードキャストメッセージ中でシグナリングされ、
モバイルデバイスが、ＲＲＣ構成または（ｅ）ＰＤＣＣＨシグナリングに基づいて前記少なくとも１つのリソースブロックにおいて送信するように構成される
請求項２１に記載の方法。
【請求項２５】
前記第２の組のリソースブロックが、ユニキャストメッセージ中でシグナリングされ、
モバイルデバイスが、（ｅ）ＰＤＣＣＨシグナリングに基づいて前記少なくとも１つのリソースブロックにおいて送信するように構成される
請求項２１に記載の方法。
【請求項２６】
前記少なくとも１つのリソースブロックがＰＵＳＣＨ、ＰＵＣＣＨ、またはＰＲＡＣＨのうちの１つに割り当てられる、請求項２１に記載の方法。
【請求項２７】
前記第２の組のリソースブロックが、複数のモバイルデバイス間で多重化される、請求項２１に記載の方法。
【請求項２８】
前記第２の組のリソースブロックが、符号分割多元接続に基づいて前記複数のモバイルデバイス間で多重化される、請求項２７に記載の方法。
【請求項２９】
装置であって、
チャネル帯域幅の端部に第１の組の動的にスケジュールされたリソースブロックと、第２の組のリソースブロックとを備えるアップリンクリソースブロック構成を決定するための手段と、前記アップリンクリソースブロック構成が、少なくとも最小のあらかじめ決定された帯域幅しきい値を占有する、
前記第１の組の動的にスケジュールされたリソースブロックまたは前記第２の組のリソースブロックのうちの少なくとも１つにおける少なくとも１つのリソースブロックのためにサウンド基準信号（ＳＲＳ）またはチャネル使用ビーコン信号（ＣＵＢＳ）のうちの１つの割当てを受信するための手段と、
ここにおいて、
前記ＳＲＳのためのコードシーケンスが区分される、または、
前記ＣＵＢＳのためのコードシーケンスが直交していない、
前記少なくとも１つのリソースブロックにおいて送信を送るための手段と
を備える装置。
【請求項３０】
装置であって、
チャネル帯域幅の端部に第１の組の動的にスケジュールされたリソースブロックと、第２の組のリソースブロックとを備えるアップリンクリソースブロック構成を決定するために構成された少なくとも１つのプロセッサと、前記アップリンクリソースブロック構成が、少なくとも最小のあらかじめ決定された帯域幅しきい値を占有する、
前記第１の組の動的にスケジュールされたリソースブロックまたは前記第２の組のリソースブロックのうちの少なくとも１つにおける少なくとも１つリソースブロックのためにサウンド基準信号（ＳＲＳ）またはチャネル使用ビーコン信号（ＣＵＢＳ）のうちの１つの割当てを受信することと、
ここにおいて、
前記ＳＲＳのためのコードシーケンスが区分される、または、
前記ＣＵＢＳのためのコードシーケンスが直交していない、
前記少なくとも１つのリソースブロックにおいて送信を送ることと
を行うために構成されたトランシーバと、
前記少なくとも１つのプロセッサに結合されたメモリと
を備える装置。
【請求項３１】
命令を記憶する非一時的コンピュータ可読媒体であって、前記命令は、
少なくとも１つのコンピュータによって実行されたとき、前記少なくとも１つのコンピュータに、
チャネル帯域幅の端部に第１の組の動的にスケジュールされたリソースブロックと、第２の組のリソースブロックとを備えるアップリンクリソースブロック構成を決定させ、前記アップリンクリソースブロック構成が、少なくとも最小のあらかじめ決定された帯域幅しきい値を占有する、
前記第１の組の動的にスケジュールされたリソースブロックまたは前記第２の組のリソースブロックのうちの少なくとも１つにおける少なくとも１つリソースブロックのためにサウンド基準信号（ＳＲＳ）またはチャネル使用ビーコン信号（ＣＵＢＳ）のうちの１つの割当てを受信させ、
ここにおいて、
前記ＳＲＳのためのコードシーケンスが区分される、または、
前記ＣＵＢＳのためのコードシーケンスが直交していない、
前記少なくとも１つのリソースブロックにおいて送信を送らせる
１つまたは複数の命令を備える非一時的コンピュータ可読媒体。
【請求項３２】
前記最小のあらかじめ決定された帯域幅しきい値が、基地局によってサービスされるすべてのモバイルデバイスについて同じである、請求項１０に記載の装置。
【請求項３３】
前記最小のあらかじめ決定された帯域幅しきい値が、ブロードキャストメッセージ中でシグナリングされる、請求項３２に記載の装置。
【請求項３４】
前記少なくとも１組のリソースブロックの各々が１つのサブフレーム上のＰＵＳＣＨ、ＰＵＣＣＨ、またはＰＲＡＣＨのうちの１つに割り当てられる、請求項１０に記載の装置。
【請求項３５】
前記送信を前記送るための手段が、
複数のＯＦＤＭシンボル上で、および前記少なくとも１組の前記リソースブロックにおいて前記ＳＲＳまたは前記ＣＵＢＳのうちの少なくとも１つを送るための手段を備える、請求項１０に記載の装置。
【請求項３６】
前記少なくとも１つのリソースブロックが、複数のモバイルデバイスに割り振られる直交するリソースブロックの組を備える、請求項１０に記載の装置。
【請求項３７】
前記少なくとも１つのリソースブロックが、直交するリソースブロックの組を備え、各組が複数のモバイルデバイスに割り当てられ、ＰＵＳＣＨが前記複数のモバイルデバイスの中で空間多重化され、ＰＤＣＣＨ、前記ＳＲＳ、またはＰＲＡＣＨのうちの少なくとも１つが前記複数のモバイルデバイスの中で符号分割多重化される、請求項１０に記載の装置。
【請求項３８】
ＰＲＡＣＨ送信または前記ＳＲＳのために確保された１組のリソースブロックにおいて前記ＰＲＡＣＨ送信または前記ＳＲＳのうちの少なくとも１つを送信するための手段をさらに備える、請求項１０に記載の装置。
【請求項３９】
前記アップリンクリソースブロック構成が直交周波数分割多重化に基づく、請求項１０に記載の装置。
【請求項４０】
前記最小のあらかじめ決定された帯域幅しきい値が、基地局によってサービスされるすべてのモバイルデバイスについて同じである、請求項１２に記載の非一時的コンピュータ可読媒体。
【請求項４１】
前記最小のあらかじめ決定された帯域幅しきい値が、ブロードキャストメッセージ中でシグナリングされる、請求項４０に記載の非一時的コンピュータ可読媒体。
【請求項４２】
前記少なくとも１組のリソースブロックの各々が１つのサブフレーム上のＰＵＳＣＨ、ＰＵＣＣＨ、またはＰＲＡＣＨのうちの１つに割り当てられる、請求項１２に記載の非一時的コンピュータ可読媒体。
【請求項４３】
前記送信を送るための前記１つまたは複数の命令が、
複数のＯＦＤＭシンボル上で、および前記少なくとも１組の前記リソースブロックにおいて前記ＳＲＳまたは前記ＣＵＢＳのうちの少なくとも１つを送るための１つまたは複数の命令を備える、請求項１２に記載の非一時的コンピュータ可読媒体。
【請求項４４】
前記少なくとも１つのリソースブロックが、複数のモバイルデバイスに割り振られる直交するリソースブロックの組を備える、請求項１２に記載の非一時的コンピュータ可読媒体。
【請求項４５】
前記少なくとも１つのリソースブロックが、直交するリソースブロックの組を備え、各組が複数のモバイルデバイスに割り当てられ、ＰＵＳＣＨが前記複数のモバイルデバイスの中で空間多重化され、ＰＤＣＣＨ、前記ＳＲＳ、またはＰＲＡＣＨのうちの少なくとも１つが前記複数のモバイルデバイスの中で符号分割多重化される、請求項１２に記載の非一時的コンピュータ可読媒体。
【請求項４６】
前記命令が、
前記少なくとも１つのコンピュータによって実行されたとき、前記少なくとも１つのコンピュータに、
ＰＲＡＣＨ送信または前記ＳＲＳのために確保された１組のリソースブロックにおいて前記ＰＲＡＣＨ送信または前記ＳＲＳのうちの少なくとも１つを送信させる１つまたは複数の命令をさらに備える、請求項１２に記載の非一時的コンピュータ可読媒体。
【請求項４７】
前記アップリンクリソースブロック構成が直交周波数分割多重化に基づく、請求項１２に記載の非一時的コンピュータ可読媒体。
【請求項４８】
前記ＣＣＡの機会が、ＯＦＤＭシンボル持続時間の一部分を占有する、または
前記ＣＵＢＳ送信が、あらかじめ決定されたＯＦＤＭシンボル境界に揃えられる、請求項１８に記載の装置。
【請求項４９】
前記ＣＣＡの機会が複数の連続した機会のうちの１つであり、グループメンバーシップに基づく、請求項１８に記載の装置。
【請求項５０】
前記グループメンバーシップがＰＬＭＮメンバーシップである、請求項４９に記載の装置。
【請求項５１】
前記指示が割り当てられたＳＲＳに基づく、請求項１８に記載の装置。
【請求項５２】
前記ＣＣＡの機会が複数の連続した機会のうちの１つであり、グループメンバーシップに基づく、請求項１９に記載の装置。
【請求項５３】
前記グループメンバーシップがＰＬＭＮメンバーシップである、請求項５２に記載の装置。
【請求項５４】
前記ＣＣＡの機会が、多目的サブフレームのうちの少なくとも一部を備え、
前記多目的サブフレームの残りが、ダウンリンク送信、前記ＣＵＢＳ送信、およびガード期間のために確保されている、請求項１９に記載の装置。
【請求項５５】
前記指示が割り当てられたＳＲＳに基づく、請求項１９に記載の装置。
【請求項５６】
前記ＣＣＡの機会が複数の連続した機会のうちの１つであり、グループメンバーシップに基づく、請求項２０に記載の非一時的コンピュータ可読媒体。
【請求項５７】
前記グループメンバーシップがＰＬＭＮメンバーシップである、請求項５６に記載の非一時的コンピュータ可読媒体。
【請求項５８】
前記ＣＣＡの機会が、多目的サブフレームのうちの少なくとも一部を備え、
前記多目的サブフレームの残りが、ダウンリンク送信、前記ＣＵＢＳ送信、およびガード期間のために確保されている、請求項２０に記載の非一時的コンピュータ可読媒体。
【請求項５９】
前記指示が割り当てられたＳＲＳに基づく、請求項２０に記載の非一時的コンピュータ可読媒体。
【請求項６０】
前記最小のあらかじめ決定された帯域幅しきい値が、基地局によってサービスされるすべてのモバイルデバイスについて同じである、請求項２９に記載の装置。
【請求項６１】
前記最小のあらかじめ決定された帯域幅しきい値が、ブロードキャストメッセージ中でシグナリングされる、請求項２９に記載の装置。
【請求項６２】
前記第２の組のリソースブロックが、ブロードキャストメッセージ中でシグナリングされ、
モバイルデバイスが、ＲＲＣ構成または（ｅ）ＰＤＣＣＨシグナリングに基づいて前記少なくとも１つのリソースブロックにおいて送信するように構成される
請求項２９に記載の装置。
【請求項６３】
前記第２の組のリソースブロックが、ユニキャストメッセージ中でシグナリングされ、
モバイルデバイスが、（ｅ）ＰＤＣＣＨシグナリングに基づいて前記少なくとも１つのリソースブロックにおいて送信するように構成される
請求項２９に記載の装置。
【請求項６４】
前記少なくとも１つのリソースブロックがＰＵＳＣＨ、ＰＵＣＣＨ、またはＰＲＡＣＨのうちの１つに割り当てられる、請求項２９に記載の装置。
【請求項６５】
前記第２の組のリソースブロックが、複数のモバイルデバイス間で多重化される、請求項２９に記載の装置。
【請求項６６】
前記第２の組のリソースブロックが、符号分割多元接続に基づいて前記複数のモバイルデバイス間で多重化される、請求項６５に記載の装置。
【請求項６７】
前記最小のあらかじめ決定された帯域幅しきい値が、基地局によってサービスされるすべてのモバイルデバイスについて同じである、請求項３０に記載の装置。
【請求項６８】
前記最小のあらかじめ決定された帯域幅しきい値が、ブロードキャストメッセージ中でシグナリングされる、請求項３０に記載の装置。
【請求項６９】
前記第２の組のリソースブロックが、ブロードキャストメッセージ中でシグナリングされ、
モバイルデバイスが、ＲＲＣ構成または（ｅ）ＰＤＣＣＨシグナリングに基づいて前記少なくとも１つのリソースブロックにおいて送信するように構成される
請求項３０に記載の装置。
【請求項７０】
前記第２の組のリソースブロックが、ユニキャストメッセージ中でシグナリングされ、
モバイルデバイスが、（ｅ）ＰＤＣＣＨシグナリングに基づいて前記少なくとも１つのリソースブロックにおいて送信するように構成される
請求項３０に記載の装置。
【請求項７１】
前記少なくとも１つのリソースブロックがＰＵＳＣＨ、ＰＵＣＣＨ、またはＰＲＡＣＨのうちの１つに割り当てられる、請求項３０に記載の装置。
【請求項７２】
前記第２の組のリソースブロックが、複数のモバイルデバイス間で多重化される、請求項３０に記載の装置。
【請求項７３】
前記第２の組のリソースブロックが、符号分割多元接続に基づいて前記複数のモバイルデバイス間で多重化される、請求項７２に記載の装置。
【請求項７４】
前記最小のあらかじめ決定された帯域幅しきい値が、基地局によってサービスされるすべてのモバイルデバイスについて同じである、請求項３１に記載の非一時的コンピュータ可読媒体。
【請求項７５】
前記最小のあらかじめ決定された帯域幅しきい値が、ブロードキャストメッセージ中でシグナリングされる、請求項３１に記載の非一時的コンピュータ可読媒体。
【請求項７６】
前記第２の組のリソースブロックが、ブロードキャストメッセージ中でシグナリングされ、
モバイルデバイスが、ＲＲＣ構成または（ｅ）ＰＤＣＣＨシグナリングに基づいて前記少なくとも１つのリソースブロックにおいて送信するように構成される
請求項３１に記載の非一時的コンピュータ可読媒体。
【請求項７７】
前記第２の組のリソースブロックが、ユニキャストメッセージ中でシグナリングされ、
モバイルデバイスが、（ｅ）ＰＤＣＣＨシグナリングに基づいて前記少なくとも１つのリソースブロックにおいて送信するように構成される
請求項３１に記載の非一時的コンピュータ可読媒体。
【請求項７８】
前記少なくとも１つのリソースブロックがＰＵＳＣＨ、ＰＵＣＣＨ、またはＰＲＡＣＨのうちの１つに割り当てられる、請求項３１に記載の非一時的コンピュータ可読媒体。
【請求項７９】
前記第２の組のリソースブロックが、複数のモバイルデバイス間で多重化される、請求項３１に記載の非一時的コンピュータ可読媒体。
【請求項８０】
前記第２の組のリソースブロックが、符号分割多元接続に基づいて前記複数のモバイルデバイス間で多重化される、請求項７９に記載の非一時的コンピュータ可読媒体。